(57)【要約】【課題】  本考案の簾は、暗い方から明るい方に向いては見えやすいと言う問題を、山型状の遮光板を略平行に複数枚を保持用線材により連結することにより解消する。【解決手段】  本考案の簾は、山型状の遮光板２及び３を複数枚略平行に保持用線材６により連結し、上部保持具１下部保持具７に結束し簾の形をなす、列なる遮光板の間隔は上側の遮光板底辺５をむすんだ線の位置より下側の遮光板頂部４が上になるよう設置することにより曲がった間隔ができ視線は遮るが風は通る簾。【選択図】図１
0003140346.tif 000002
【実用新案登録請求の範囲】
【請求項１】
簾は、山型状を有する遮光板複数枚を列ねることにより、遮光板と遮光板の隙間は曲がっており、視線は遮るが風は通ることを特徴とする簾。
【請求項２】
前記、山型状を有する遮光板は平坦状、波型状、突起物のついた物で作り、請求項１を特徴とする簾。
【考案の詳細な説明】
【技術分野】
【０００１】  本考案は、視線は遮るが風は通す簾である。
【背景技術】
【０００２】  従来の簾は、一般的にビニール製の筒状の物、または細い籐または細く割った竹など棒状の物を略平行に糸で編み列ねて垂らすものが多い。これでは、狭いすき間があり風は通すが、簾をはさんで暗い方から明るい方に向いては、簾の向こうが見えやすくなる。
【考案の開示】
【考案が解決しようとする課題】
【０００３】  しかし、これでは昼は外の方が明るく部屋の中は見えづらいが、夜になると部屋の方が明るくなり、外から見えやすくなりプライバシーが侵されやすい、前述の欠点を解決しようとする物である。
【課題を解決するための手段】
【０００４】  そこで、本考案する簾は、従来の簾に使用されている、丸い筒状または竹を割ったような棒状の材料に替わり、断面が山型状の遮光板を使用し、略平行になるよう保持用線材で連結し列ねる。それにより視線を遮ることができ、風は山型状の曲がったすき間を通る。
【考案の効果】
【０００５】  よって、本考案の簾を使用すれば、カーテン等視線を遮る物の必要なしに、外からの視線を遮ることができ、涼をとることができる。
【考案を実施するための最良の形態】
【０００６】  本考案に係わる簾は、図１に示すように半円状の物、及び図３に示すようＬ字状の山型の形状は、使用目的により決めればよい。また簾の横幅および縦の長さにおいても、窓等の横幅および縦の長さに合わせてきめればよい。【０００７】  遮光板と遮光板の間隔は上側にある遮光板底辺をむすんだ線に接する位置より上に、下側の遮光板の頂部がくるように保持用線材により配置を保持する。保持用線材を２本使用する場合は遮光板の両端部、もしくは頂部と端部の半分の位置の間に設置する。保持用線材を１本使用する場合は頂部の位置に設置する。【０００８】  遮光板は平坦状、波型状、突起物のついた物等で作る簾。【０００９】  遮光板を略平行に保つため、遮光板に穴を開け、その穴に保持用線材を通し遮光板と保持用線材の接するところに、遮光板を挟むよう上下もしくは下に瘤を作り略平行を保つ。この瘤は保持用線材自身を結び瘤を作るか、または接着剤もしくは金属及びプラスチックのクリップを使用する。【００１０】  遮光板及び上下保持具の素材は、風に吹かれ揺れたとき、窓ガラス、外壁を傷つけないよう、ポリエチレン・テレフタラートを使用するのが望ましいが、ビニール、ポリエチレン、塩化ビニール、プラスチックなど合成樹脂及び不織布など素材は適宜使用する。
【図面の簡単な説明】
【００１１】
【図１】  本考案に係る、遮光板の保持用線材を２本使用の半円状の簾の断面。
【図２】  本考案に係る、遮光板の保持用線材を１本使用の半円状の簾の断面。
【図３】  本考案に係る、遮光板の保持用線材を２本使用のＬ字状の簾の断面。
【図４】  本考案に係る、遮光板の保持用線材を１本使用のＬ字状の簾の断面。
【符号の説明】
【００１２】  １  上部保持具
２  遮光板（半円状）
３  遮光板（Ｌ字型）
４  遮光版頂部
５  遮光板底辺
６  保持用線材
７  下部保持具
【図１】
0003140346.tif 000003
【図２】
0003140346.tif 000004
【図３】
0003140346.tif 000005
【図４】
0003140346.tif 000006
【手続補正書】
【提出日】平成19年9月1日(2007.9.1)
【手続補正１】
【補正対象書類名】実用新案登録請求の範囲
【補正対象項目名】請求項２
【補正方法】削除
【補正の内容】
【手続補正２】
【補正対象書類名】明細書
【補正対象項目名】全文
【補正方法】変更
【補正の内容】
【考案の詳細な説明】
【技術分野】
【０００１】  本考案は、視線は遮るが風は通す簾である。
【背景技術】
【０００２】  従来の簾は、一般的にビニール製の筒状の物、または細い籐または細く割った竹など棒状の物を略平行に糸で編み列ねて垂らすものが多い。これでは、狭いすき間があり風は通すが、簾をはさんで暗い方から明るい方に向いては、簾の向こうが見えやすくなる。
【考案の開示】
【考案が解決しようとする課題】
【０００３】  しかし、これでは昼は外の方が明るく部屋の中は見えづらいが、夜になると部屋の方が明るくなり、外から見えやすくなりプライバシーが侵されやすい、前述の欠点を解決しようとする物である。
【課題を解決するための手段】
【０００４】  そこで、本考案する簾は、従来の簾に使用されている、丸い筒状または竹を割ったような棒状の材料に替わり、断面が山型状の遮光板を使用し、略平行になるよう保持用線材で連結し列ねる。それにより視線を遮ることができ、風は山型状の曲がったすき間を通る。
【考案の効果】
【０００５】  よって、本考案の簾を使用すれば、カーテン等視線を遮る物の必要なしに、外からの視線を遮ることができ、涼をとることができる。
【考案を実施するための最良の形態】
【０００６】  本考案に係わる簾は、図１に示すように山型状の遮光板と遮光板の間隔は上側にある遮光板底辺をむすんだ線に接する位置より上に、下側の遮光板の頂部がくるように保持用線材により配置を保持する。遮光板を略平行に保つため、遮光板の頂部に穴を開け、その穴に保持用線材を通し遮光板と保持用線材の接するところに、遮光板を挟むよう上下もしくは下に瘤を作り略平行を保つ。この瘤は保持用線材自身を結び、瘤を作るか、または接着剤もしくは金属及びプラスチックのクリップを使用する。【０００７】  遮光板及び上下保持具の素材は、風に吹かれ揺れたとき、窓ガラス、外壁を傷つけないよう、プラスチックなど合成樹脂及び不織布など素材は適宜使用する。
【図面の簡単な説明】
【０００８】
【図１】  本考案に係る、簾の断面図。
【符号の説明】
【０００９】  １  遮光板
２  保持用線材
３  瘤
４  上部保持具
５  下部保持具
【手続補正３】
【補正対象書類名】図面
【補正対象項目名】全図
【補正方法】変更
【補正の内容】
【図１】
0003140346.tif 000007
【手続補正書】
【提出日】平成20年1月4日(2008.1.4)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
簾は、山型状を有する遮光板複数枚を列ねることにより、遮光板と遮光板の間隔は曲がっており、視線は遮るが風は通ることを特徴とする簾。